(57)【要約】【課題】  可折曲部の折曲位置を安定させるとともに、十分な面積を有する外側係止片によって型枠を係止し得る型枠用幅止め具を提供する。【解決手段】  外側係止片２，３と内側係止片４，５とを備える型枠用幅止め具Ａにおいて、少なくとも片方の外側係止片は、折曲位置３１から適宜範囲の係止領域２２と、この係止領域よりも先端側の範囲に形成される折り返し領域２３とを備える。折り返し領域は、適宜幅寸法を有するとともに、幅方向略中央に貫通孔２４を有し、貫通孔の両側において係止領域と連続する連続部２５，２６を形成してなる。【選択図】  図１
2014118722.tif 000002
【特許請求の範囲】
【請求項１】
長尺な幅止め本体の両端から所定距離の位置を折曲位置として所望の向きに折曲してなる外側係止片と、この外側係止片の折曲位置から前記幅止め本体の長手方向中央に向かって所定距離を有する位置で、該幅止め本体の一部を所望の向きに隆起または突出させてなる内側係止片とを備える型枠用幅止め具において、
少なくとも片方の外側係止片は、前記折曲位置から適宜範囲の係止領域と、この係止領域よりも先端側の範囲に形成される折り返し領域とを備え、
上記折り返し領域は、適宜幅寸法を有するとともに、幅方向略中央に貫通孔を有し、該貫通孔の両側において係止領域と連続する連続部を形成してなることを特徴とする型枠用幅止め具。
【請求項２】
前記係止領域は、幅方向略中央に前記幅止め本体の長手方向に沿った長尺なリブを形成してなり、前記折り返し領域の連続部は、上記リブの両側において前記係止領域と連続してなる請求項１に記載の型枠用幅止め具。
【請求項３】
前記折り返し領域は、さらに、前記連続部の幅寸法よりも幅広に形成した押圧面部を備えることを特徴とする請求項１または２に記載の型枠用幅止め具。
【請求項４】
前記係止領域および前記折り返し領域が、前記幅止め本体両端の両外側係止片に形成されている請求項１ないし３のいずれかに記載の型枠用幅止め具。
【請求項５】
前記幅止め本体の両端に設けられる外側係止片のうち、片方の外側係止片にのみ前記係止領域および折り返し領域を形成し、他方の外側係止片には、該外側係止片の前記折曲位置から適宜範囲の係止領域と、この係止領域よりも先端側の範囲に形成された膨出領域とを備え、
上記膨出領域は、上記係止領域との境界線に沿って幅方向略中央に分離部が設けられ、該分離部によって分離される膨出領域の一部を幅止め本体の他端に向けて膨出するように湾曲させてなる湾曲部が形成されていることを特徴とする請求項１ないし３のいずれかに記載の型枠用幅止め具。
【発明の詳細な説明】
【技術分野】
【０００１】
本発明は、型枠用幅止め具に関し、特に、コンクリート打設時に使用する型枠を所定間隔に保持するための幅止め具に関するものである。
【背景技術】
【０００２】
従来の型枠用幅決め具は、特許文献１の中で、従来の型枠用幅止め具として説明されているように、帯状の板体の両端を折り曲げた外側係止片と、板体の一部を切起こした内側係止片とで構成されたものであった。しかしながら、上記のような構成の場合には、型枠の端部が、単に両係止片の中間に嵌合されているのみとなるため、両係止片と型枠との間に間隙を生じる状態の場合には、型枠用幅止め具が容易に離脱するという不具合があった。
【０００３】
他方、上記問題点を解消するための構造としては、幅止め具本体の一端を、直角に折り曲げて外側係止片を構成したうえで、さらに他端に向けて折り曲げることによりコ字状とし、他端には、幅狭の可曲折部を設ける構成としたものが発案されていた（特許文献２参照）。
【先行技術文献】
【特許文献】
【０００４】
【特許文献１】特開２００２−２４２４３０号公報（図４）
【特許文献２】特開平５−１４７２号公報
【発明の概要】
【発明が解決しようとする課題】
【０００５】
ところが、上記特許文献２に開示される技術は、外側係止片の内側に可折曲部を溶接するものであり、かつ、可折曲部が幅狭に（細長く）形成するものであり、可折曲部の折曲を容易かつ自由に行えるものである反面、折曲位置が安定せず、作業者によって折曲状態にばらつきを生じさせることとなっていた。また、可折曲部が幅狭（細長）であることから、折曲方向についても自由な状態となり、捻れた状態で折曲されることがあり、型枠端縁に対して点で支える状態となることがあった。さらに、可折曲部が外側係止片の内側に設けられることから、型枠を係止すべき外側係止片は、可折曲部を支えるためのものであり、実際に係止する（型枠に当接する）部分は、可折曲部の内側表面となり、極めて狭い面積によって係止されることとなっていた。
【０００６】
本発明は、上記諸点にかんがみてなされたものであって、その目的とするところは、可折曲部の折曲位置を安定させるとともに、十分な面積を有する外側係止片によって型枠を係止し得る型枠用幅止め具を提供することである。
【課題を解決するための手段】
【０００７】
そこで、本発明は、長尺な幅止め本体の両端から所定距離の位置を折曲位置として所望の向きに折曲してなる外側係止片と、この外側係止片の折曲位置から前記幅止め本体の長手方向中央に向かって所定距離を有する位置で、該幅止め本体の一部を所望の向きに隆起または突出させてなる内側係止片とを備える型枠用幅止め具において、少なくとも片方の外側係止片は、前記折曲位置から適宜範囲の係止領域と、この係止領域よりも先端側の範囲に形成される折り返し領域とを備え、上記折り返し領域は、適宜幅寸法を有するとともに、幅方向略中央に貫通孔を有し、該貫通孔の両側において係止領域と連続する連続部を形成してなることを特徴とするものである。
【０００８】
上記構成によれば、折り返し領域は、貫通孔の両側の二個所で係止領域と連続することとなり、当該連続部は、係止領域および折り返し領域に比較して耐曲げ応力を低くすることができることから、当該貫通孔が設けられる部分によって折り返しが可能となる。従って、適宜位置に貫通孔を設けることによって折り返し位置を予定することができる。また、係止領域と折り返し領域とが、二個所で連続していることから、折り返し領域を折り返すためには、当該二個所の連続部を同時に折り返すようにしなければならず、折り返し領域が折り返される方向が安定することとなる。
【０００９】
上記発明においては、連続部の位置を適宜選択することができ、例えば、係止領域に、幅方向略中央に前記幅止め本体の長手方向に沿った長尺なリブを形成する場合には、上記リブの両側において前記係止領域と連続する連続部を形成する構成とすることができる。
【００１０】
このような構成においては、係止領域がリブによって耐曲げ応力が大きくなるとともに、最も耐曲げ応力の大きいリブに近接した位置で折り返し領域が連続することとなるから、折り返し領域を折り返すための作業において、その曲げ応力の影響により係止領域が変形することを回避させることができる。
【００１１】
そして、折り返し領域は、前述のとおり、二個所で係止領域と連続するものであればよく、その形状は任意である。そこで、連続部の幅寸法よりも幅広に形成した押圧面部を備えるような形状とすることも可能である。
【００１２】
このような形状の折り返し領域とした場合には、折り返し作業時に作業者が押圧場所を明確に把握できるとともに、二個所の連続部に対する所望の曲げ応力を作用させ、また、押圧面部の位置を調整することにより二個所の連続部に対して、曲げ応力を均等に分散させることができる。
【００１３】
ここで、前記係止領域および前記折り返し領域は、幅決め本体の両外側係止片のうち、いずれか一方のみに設ける構成でもよいが、幅止め本体の両端の両外側係止片に、それぞれ係止領域および折り返し領域を設ける構成としてもよい。幅決め本体の両端に折り返し領域が設けられることにより、構築すべきコンクリートの両側に配置される二枚（一対）の型枠の双方について位置決めを可能にすることができる。
【００１４】
また、上記に代えて、幅決め本体の片方の外側係止片にのみ折り返し領域を設け、他方には係止用の湾曲部を設ける構成としてもよい。このような構成の場合には、係止用の湾曲部を備えた端部を先に型枠の一方に係止し、他方の型枠を係止領域により係止することにより、まず、一方の型枠を位置決めし、のちに他方の型枠を位置決めすることができる。この場合の構成としては、湾曲部を形成すべき他方の外側係止片に、折曲位置から適宜範囲の係止領域と、この係止領域よりも先端側の範囲に形成された膨出領域とを形成し、この膨出領域は、係止領域との境界線沿って幅方向略中央に分離部を設け、さらに、この分離部によって分離される膨出領域の一部を他端に向けて膨出するように湾曲させた湾曲部を形成してなるものである。
【発明の効果】
【００１５】
本発明によれば、外側係止片の少なくとも一方には、係止領域と折り返し領域とが二個所で連続して構成されていることから、当該二個所の連続部を同時に折り曲げることにより、折り返し領域による型枠の位置決めを可能にすることとなる。そして、係止領域と折り返し領域とが区分されていることから、係止領域内で折り返されることがなく、また、当該二個所の連続部によって折り返し位置が定められることとなり、当該折り返しの位置が安定することとなる。さらに、二個所の連続部が共に折り返されることにより折り返し領域全体の折曲が終了することから、折り返される部分が捻れた状態となることを回避し得ることとなる。
【００１６】
さらに、係止領域は折曲されることなく、型枠端部の係止のために作用することとなり、所望の面積を有して係止可能となる。従って、型枠の係止（支持）に必要な面積を保持させることができる。
【図面の簡単な説明】
【００１７】
【図１】本発明の第一の実施形態を示す斜視図である。
【図２】図１におけるＩＩ−ＩＩ断面図である。
【図３】第一の実施形態の使用態様を示す説明図である。
【図４】本発明の第二の実施形態を示す斜視図である。
【図５】外側係止片の詳細を示す説明図である。
【図６】本発明の第三の実施形態を示す斜視図である。
【図７】（ａ）は第三の実施形態における第一の外側係止片の詳細を示し、（ｂ）は第二の外側係止片の詳細を示す説明図である。
【発明を実施するための形態】
【００１８】
以下、本発明の実施の形態を図面に基づいて説明する。図１は、本発明の型枠用幅止め具の第一の実施形態を示す図である。この図に示すように、本実施形態の型枠用幅決め具Ａは、幅決め本体１と、その両端付近を折曲してなる外側係止片２，３と、この外側係止片から適宜位置に設けられた内側係止片とで構成されている。型枠については後述するが、コンクリートを打設する際に、打設すべきコンクリートの幅方向に分かれて二枚の型枠が配置されるものである。そこで、型枠用幅止め具Ａは、上記二枚の型枠を同時に内外表面において係止するものであって、外側係止片とは、それぞれの型枠の外側に位置して当該型枠を係止するための部位であり、内側係止片とは、それぞれの型枠の内側に位置する部位である。従って、打設コンクリートは、型枠用幅決め具Ａによって係止される型枠のうち、両端付近で係止され、対向するように配置された内側の両面の間に形成されることとなるのである。
【００１９】
そこで、幅決め本体１の両端に形成される外側係止片２，３と、内側係止片４，５との間は、型枠が嵌合できる寸法に調整されている。内側係止片４，５は、打設コンクリートの表面位置を決定する型枠の内側表面を位置決めするものであるため、比較的小さく突出させた構成となっている。具体的には、幅決め本体１の一部を略Ｕ字状に切り込み、当該略Ｕ字状部分を起立させるように折曲して形成されるものである。なお、上記切り込み部分を折曲させることに代えて、部分的に隆起させる構成としてもよい。また、図示のように、幅決め本体１の両端近傍には長手方向に延出するようなリブ６，７を形成してもよい。
【００２０】
他方、外側係止片２，３は、型枠の外側を係止して、当該型枠の離脱を防止するものであることから、内側係止片４，５よりも頑丈な構造としている。具体的には、幅決め本体１の両端から係止に必要な長さ寸法Ｈ２，Ｈ３の位置を折曲位置２１，３１とし、当該折曲位置２１，３１から折り曲げて構成されている。
【００２１】
これら両外側係止片２，３のうち、一方の外側係止片２は、さらに、係止領域２２と折り返し領域２３が形成されている。折り返し領域２３は、幅方向の中央に貫通孔２４が穿設されており、その貫通孔２４の両側において、係止領域２２と連続する連続部２５，２６が形成されている。上記貫通孔２４よりも先端側の折り返し領域２３は、幅方向に連続した面で構成された押圧面部２７が設けられており、折り返し領域２３を折り返す際に使用できる所定面積が確保されている。この押圧面部２７の形状は任意に構成することができるが、長手方向および幅方向に適宜な寸法とすることにより、押圧力を付与するための面積が確保されるものである。なお、折り返し領域２３の連続部２５，２６と幅決め本体１との間には、長手方向に沿った溝部２８，２９が形成されており、折り返し領域２３が単独で（係止領域２２から離れて）折り返しできるようになっている。
【００２２】
両外側係止片２，３のうち、他方の外側係止片３には、係止領域３２と膨出領域３３とが形成されている。膨出領域３３は、係止領域３２との境界線に沿った直線状の切り込みが設けられ、その切り込みによって部分的に分離できる分離部３４が設けられている。そして、この分離部３４によって、部分的に分離可能となった先端部の一部を、他方の外側係止片（他端）２に向かって膨出するように湾曲させるのである。この湾曲によって形成される湾曲部３５が、係止領域３２よりも内側に膨出することとなり、同じ側の内側係止片５との距離を部分的に短縮させるようになっているのである。
【００２３】
本実施形態は、上記のような構成であることから、両側に分かれて配置される二つの型枠の端縁を係止し、その位置決めを可能にするものである。図２は、型枠８，９の下端縁８０，９０を係止する状態を示している。この図に示すように、一般的な型枠８，９は、所定の肉厚を有する平面部８１，９１を備えており、この平面部８１，９１が対向するように二つの型枠８，９が配置されるとともに、両平面部８１，９１の間の距離を打設すべき寸法に合わせて維持するように設置されるものである。また、型枠８，９の端縁（下端縁）８０，９０は、上記平面部８１，９１から垂直方向の端面部８２，９２が形成され、さらに、その先端８３，９３は、上記平面部８１，９１に平行な状態に折曲され、外部平面部８４，９４が形成されている。
【００２４】
そこで、型枠用幅決め具Ａは、適宜間隔で配置される型枠８，９の端縁（下端縁）８０，９０のうち、平面部８１，９１の下位の部分に内側係止片４，５を当接させ、外部平面部８４，９４を外側係止片２，３により係止することができるようになっているのである。すなわち、二つの型枠８，９のうちの一方の型枠（以下、第一の型枠という）８は、係止領域２２と折り返し領域２３を備える外側係止片（以下、第一の外側係止片という）２によって係止され、他方の型枠（以下、第二の型枠という）９は、係止領域３２と膨出領域３３を備える外側係止片（以下、第二の外側係止片という）３によって係止されるのである。また、型枠用幅決め具Ａは、一方の内側係止片（以下、第一の内側係止片という）４と他方の内側係止片（以下、第二の内側係止片）５との間隔が、打設すべきコンクリートの幅寸法に合致させており、型枠８，９の平面部８１，９１を上記両内側係止片４，５に当接させることにより、所望の位置に型枠８，９を設置できるようになっている。従って、一方の型枠（以下、第一の型枠という）８を第一の外側係止片２と第一の内側係止片４との間に配置し、当該第一の外側係止片２によって係止し、他方の型枠（以下、第二の型枠という）９を第二の外側係止片３と第二の内側係止片５との間に配置し、第二の外側係止片３で係止することにより、所望の間隔を維持しつつ両型枠８，９の幅決めを行うことができるのである。
【００２５】
ところで、第一の外側係止片２による係止は、折り返し領域２３に形成される押圧面部２７を内側に折り返すことによって行うことができる。折り返す前の状態では、第一の外側係止片２の押圧面部２７は、第一の内側係止片４と平行な状態となっており、第一の型枠８は、両者の中間に容易に嵌入させることができるのである。そして、第一の型枠８の端縁（下端縁）８０が上記両係止片２，４の中間に配置された状態（端面８２が幅決め本体１に当接した状態）で、押圧面部２７を押圧し、折り返し領域２３が折り返されるとき、折り返し領域２３が型枠８の外側に位置する先端部分８３の端縁を係止するのである。このとき、折り返し領域２３が折り返される位置は、貫通孔２４が設けられている範囲に限定されることとなる。すなわち、貫通孔２４の両側に形成される連続部２５，２６が折曲するのである。これは、当該連続部２５，２６の部分が最も幅寸法が小さいことによるものであり、当該連続部２５，２６の範囲（貫通孔２４が設けられている範囲）において折曲が許容されるのである（図１参照）。そして、特に、第一の型枠８の先端部分８３が存在する範囲は折り曲げることができないことから、当該先端部分８３の端縁とほぼ同じ位置で折り曲げられることとなるのである。
【００２６】
他方、第二の型枠９は、第二の外側係止片３によって係止されるが、当該型枠９は膨出領域３３の存在により、これを回避するように嵌入することにより行われる。すなわち、第一の型枠９は向きを斜めにして、当該型枠９の先端部分９３を膨出領域３３（湾曲部３５）と幅決め本体１との隙間に差し込み、その後、当該型枠９の向きを垂直に戻すことによるものである。このような係止方法は、次に示すように、型枠８，９の上端縁を係止する場合に好適である。
【００２７】
そこで、図３に型枠８，９の上端縁の状態を示す。この図に示すように、第一および第二の型枠８，９は、既に、上述のようにして下端縁が位置決めされ、所定の幅（距離）を維持しつつ垂直に配置されている。そして、その上端縁８５，９５についても幅決めし、コンクリートを打設する際、そのコンクリートの流入時の衝撃または流入後の圧力等により、両型枠８，９の幅（距離）が変動することを回避するのである。
【００２８】
ところで、両型枠８，９は、下端縁が係止されていることから、設置状態は安定している。従って、型枠８，９はいずれも向きを傾けることができない状態となっている。そこで、上端縁８５，９５における型枠用幅決め具Ａによる係止は、まず、第二の外側係止片３と第二の内側係止片５によって、第二の型枠９の係止から始めるのである。第二の型枠９の上端縁９５においても外側に先端部分９６が配置されていることから、幅決め本体１を傾斜して、第二の外側係止片３の膨出領域３３（湾曲部３５）と、幅決め本体１との間に、上記先端部分９６を差し込むようにするのである。当該先端部分９６が差し込まれた状態で、幅決め本体１を水平にすることにより、第二の型枠９の上端縁９５を当該第二の外側係止片３と第二の内側係止片５の中間に設置するのである。
【００２９】
上記の幅決め本体１の姿勢を水平にするとき、同時に、第一の外側係止片２と第一の内側係止片４との中間に、第一の型枠８の上端縁８５が嵌入することとなり、折り返し領域２３を折り返すことにより、第一の型枠８の上端縁８５の外側に位置する先端部分８６を係止することができるのである。
【００３０】
以上のように、本実施形態による型枠８，９の位置決めでは、下端縁８０，９０の係止においては、第二の型枠９を斜めにする必要があるものの、上端縁８５，９５の係止においては、型枠用幅決め具Ａの姿勢を調整することにより、第二の型枠９の上端縁９５を係止できることから、一方（第一）の型枠８において第一の外側係止片２の折り返し領域２３を折り返す作業のみで、その作業が完了することがら、非常に簡単に幅決めを行うことができる。
【００３１】
次に、第二の実施形態について説明する。図４は、本実施形態を示す図である。この図に示すように、本実施形態は、両側の外側係止片がいずれも第一の外側係止片２によって構成したものである。このような構成の場合は、第一および第二の型枠８，９の両側において、折り返し領域２３を折り返すことが必要となるが、前述の第一の実施形態における第二の型枠９の下端縁９０を係止する際、当該型枠９を斜めに傾斜させる必要がないことから、大重量の型枠を設置する場合には好適である。
【００３２】
第一の実施形態でも同様であるが、折り返し領域２３を折り返す際の状態について、ここで詳述する。図５は、第一の外側係止片を拡大した図である。図５（ａ）に示すように、折り返し領域２３は、係止領域２２よりも先端側に形成され、溝部２８，２９によって幅決め本体１から区分されている。そして、溝部２８，２９によって区分された折り返し領域２３は、全体は板状の略Ｔ字状に形成されている。この略Ｔ字状の折り返し領域２３のうち、溝部２８，２９に挟めた部分（縦方向部分）には貫通孔２４が穿設され、その両側に連続部２５，２６が設けられている。また、溝部２８，２９よりも先端側の部分（横方向部分）は、上記連続部２５，２６によって連続された平面部（押圧面部）２７が形成されている。
【００３３】
そこで、図５（ｂ）に示すように、押圧面部２７を内向きに（他端に向けて）押圧することにより、最も幅寸法の小さい連続部２５，２６が折れ曲がり、押圧面部２７を幅決め本体１の上面に平行な状態とすることができる。ここで、貫通孔２４は、図示の例では矩形であることから、所定の範囲において同じ幅寸法の連続部２５，２６が形成されている。これは、当該範囲の任意の点で折れ曲がることを予定している。これは、係止すべき型枠との位置関係が常に一定となるとは限らないからである。そこで、例えば、貫通孔２４を円形とする場合には、連続部２５，２６の幅寸法が異なることとなり、最も小さい幅寸法となる位置から折り曲げることも可能となる。
【００３４】
また、図示のように、幅決め本体１の幅方向中央には、長手方向に沿ってリブ６が設けられており、このリブ６は、幅決め本体１と外側係止片２とに跨がって、折曲位置２１の両側に連続して設けられる構成とすることができる。このように、幅決め本体１のみならず、外側係止片２にもリブ６を構成することにより、係止領域２２における係止の際の強度を補っているのである。しかしながら、折り返し領域２３（特に、連続部２５，２６）は、折り返しを可能にする必要があるため、連続部２５，２６を上記リブ６の両側に配置することによって、リブ６による補強の効果を折り返し領域２３に及ぼさないようにすることができるのである。
【００３５】
なお、押圧面部２７は、略Ｔ字状とした折り返領域２３の先端に横方向部分を主に構成しているが、これは、加工の過程において形成されることに起因するものである。すなわち、型枠用幅決め具の製造が、一枚の平板材料を打ち抜き加工し、さらに、適宜位置で折り曲げ加工することによる場合、打ち抜き加工によって形成されるものである。従って、この押圧面部２７の面積を拡大または縮小する場合には、上記打ち抜き加工時に残余面積を調整することにより行うことができる。また、折り返し領域２２の形状についても同様である。そして、押圧面部２７の面積が大きい場合には、折り返しの作業において、作業者が容易に押圧面部２７を把握できるとともに、型枠の係止の際に、広い面積によって係止させることができることとなる。
【００３６】
次に、第三の実施形態について説明する。図６は、本実施形態の概略を示す図である。この図に示すように、本実施形態の幅決め本体１０１は、平面視における幅寸法が中央付近と両端付近で差違を設けている。すなわち、中央付近１１１における幅寸法は、両端付近１１２，１１３の幅寸法よりも小さく構成しているのである。これは、中央付近１１１には外側係止片１０２，１０３および内側係止片１０４，１０５が形成されないことから、幅寸法を小さくしても全体的な強度を低下させることがないためである。
【００３７】
また、本実施形態は、幅方向Ｗの両側端縁に平面部１１４，１１５が設けられている。この平面部１１４，１１５は、型枠の係止に直接影響を与えるものではないが、型枠の下端を係止する場合など、外側係止片１０２，１０３および内側係止片１０４，１０５を上向きに設置する際、下方の構造物（布基礎構築用型枠の場合はフーチングなど）の表面との当接表面を確保することができるものである。このような当接表面を形成することにより、幅決め本体１０１の上に大重量の型枠が載置された場合においても、上記構造物（フーチングなど）の表面が損傷することを抑制し得ることとなる。
【００３８】
さらに、本実施形態では、幅方向中央に設けられるリブ１０６，１０７が深く形成されている。これらのリブ１０６，１０７の深さは、幅決め本体１０１の高さ寸法と同程度に構成されている。また、上記リブ１０６，１０７は、前述のように、係止領域１２２，１３２に至るまでの範囲に形成されており、幅決め本体１０１の両端部および外側係止片１０２，１０３を補強している。
【００３９】
そこで、図７（ａ）に示すように、第一の外側係止片１０２では、連続部１２５，１２６が、そのリブ１０６の両側において当該係止領域１２２に連続して設けられている。また、本実施形態では、第一または第二の実施形態において形成されている溝部２８，２９（図５）を設ける構成としていない。すなわち、折り返し領域１２３は、係止領域１２２の先端から突出する状態で設けられ、連続部１２５，１２６の先端に押圧面部１２７が設けられているのである。なお、このような形態においても、連続部１２５，１２６の中間には、貫通孔１２４が設けられ、両連続部１２５，１２６の幅寸法が全体として小さく構成されており、当該貫通孔１２４が設けられる範囲において折り曲げが容易になっている。
【００４０】
また、第二の外側係止片１０３では、図７（ｂ）に示すように、前記リブ１０７が係止領域１３２まで設けられている。そして、膨出領域１３３において、当該リブ１０７は、分離部１３４により分離されるとともに、当該リブ１０７として形成された部分が反対方向に（幅決め本体１０１の表面側に）向かって折り曲げられることにより、湾曲部１３５が形成されている。このような構成の場合、成形加工の段階においてリブ１０７の成形と同時に湾曲部１３５を形成し、最後に先端を折り曲げることによって外側係止片１０３を立設させることができ、その加工が容易となるものである。
【００４１】
本発明の実施形態は、上記のとおりであるが、本発明が上記実施形態に限定されるものではない。従って、本発明の趣旨を逸脱しない範囲において、種々の形態とすることは可能である。例えば、上述した第一および第二の実施形態において、幅決め本体１は、平滑な平面部と、幅方向両側を長手方向に沿った線状に折り曲げた補強リブとで形成された状態を図示しているが、この補強リブの構成は、これに限定されず、他の構成としてもよい。また、上記各実施形態において、幅決め本体１，１０１の表面は、長手方向に平滑な状態としたものを例示しているが、中央部分を折曲した構成でもよい。このような構成とすれば、前掲の引用文献１に記載されているように、型枠の下端を係止する場合において、打設コンクリートが幅決め本体１の下部にも流入させることができる。なお、本発明は、型枠の幅決め具であるため、布基礎を設ける際に使用するほか、梁や柱を設ける際にも使用できるものである。さらに、図６に示されているように、幅決め本体１０１に適宜間隔で貫通孔を設けるように構成してもよい。このような貫通孔を設けることにより、例えば、型枠用幅決め具をフーチング等の表面に設置する場合、当該貫通孔に釘等を挿通して固定させることも可能となる。
【符号の説明】
【００４２】
１，１０１  幅決め本体
２，１０２  第一の外側係止片
３，１０３  第二の外側係止片
４，１０４  第一の内側係止片
５，１０５  第二の内側係止片
６，７，１０６，１０７  リブ
８  第一の型枠
９  第二の型枠
２１  折曲位置
２２，１２２  係止領域
２３，１２３  折り返し領域
２４，１２４  貫通孔
２５，２６，１２５，１２６  連続部
２７，１２７  押圧面部
２８，２９  溝部
３１  折曲位置
３２，１３２  係止領域
３３，１３３  膨出領域
３４，１３４  分離部
３５，１３５  湾曲部
８０，９０  型枠の端縁（下端縁）
８１，９１  型枠の平面部
８２，９２  型枠の端面（下端面）
８３，９３  型枠の先端部分
８４，９４  型枠の外部平面部
８５，９５  型枠の上端縁
８６，９６  型枠上端縁の先端部分
Ａ  型枠用幅決め具
【図１】
2014118722.tif 000003
【図２】
2014118722.tif 000004
【図３】
2014118722.tif 000005
【図４】
2014118722.tif 000006
【図５】
2014118722.tif 000007
【図６】
2014118722.tif 000008
【図７】
2014118722.tif 000009